(57)【要約】【課題】記録媒体に応じた自動倍率選択機能を利用する時にもフルブリード印刷を容易に行なうことが可能な画像形成装置を提供する。【解決手段】画像形成装置１００は、画像形成元である原稿や画像形成すべき記録媒体のサイズに基づいてＣＰＵ２１で算出される倍率を元に当該原稿の画像を拡大／縮小して画像形成本体部１３で画像形成する際に、キー入力部２６で通常印刷／フルブリード印刷の選択を受け付け、フルブリード印刷が選択された場合は通常印刷における演算にオフセット値を用いて倍率を算出する。【選択図】図２
2007033532.tif 000002
【特許請求の範囲】
【請求項１】
画像形成すべき記録媒体の画像形成面の端部領域に余白を形成して画像形成する通常印刷又は画像形成すべき記録媒体の画像形成面の全域に画像形成するフルブリード印刷を選択する印刷領域選択手段と、
前記画像形成すべき記録媒体のサイズ及び画像形成元である原稿のサイズを指定する指定手段と、
前記画像形成元である原稿を前記画像形成すべき記録媒体に画像形成する際に、前記印刷領域選択手段の選択結果と前記指定手段の指定とに基づいた倍率で当該画像形成元である原稿を拡大又は縮小する変倍手段と、
を備えたことを特徴とする画像形成装置。
【請求項２】
前記印刷領域選択手段の選択結果と前記指定手段の指定とに基づいて前記倍率を決定する倍率決定手段を更に備え、
前記変倍手段は、前記倍率決定手段により決定された倍率で前記原稿を拡大又は縮小することを特徴とする請求項１に記載の画像形成装置。
【請求項３】
前記倍率決定手段で決定される前記倍率の値を調整する調整手段を更に備えたことを特徴とする請求項１又は２に記載の画像形成装置。
【請求項４】
前記印刷領域選択手段により通常印刷が選択された場合、前記変倍手段は、前記倍率をＡｍｓＶａｌｕｅｓ、前記記録媒体のサイズをＴＰ、前記原稿のサイズをＭＳとした時に、次式（１）に応じた倍率で前記原稿を拡大又は縮小することを特徴とする請求項１〜３のいずれか一項に記載の画像形成装置。
ＡｍｓＶａｌｕｅｓ＝ＴＰ／ＭＳ  （１）
【請求項５】
前記印刷領域選択手段によりフルブリード印刷が選択された場合、前記変倍手段は、前記倍率をＡｍｓＶａｌｕｅｓ、前記記録媒体のサイズをＴＰ、前記原稿のサイズをＭＳ、前記通常印刷より倍率を大きくするオフセット値をＯｆｆｓｅｔとした時に、次式（２）に応じた倍率で前記原稿を拡大又は縮小することを特徴とする請求項１〜３のいずれか一項に記載の画像形成装置。
ＡｍｓＶａｌｕｅｓ＝（ＴＰ＋Ｏｆｆｓｅｔ）／ＭＳ  （２）
【請求項６】
前記原稿を走査して読み取る読み取り手段を備え、
前記変倍手段は、前記読み取り手段の走査速度を制御する読み取り制御手段を有し、当該読み取り制御手段は前記印刷領域選択手段による選択結果に応じた走査速度に制御することを特徴とする請求項１〜５のいずれか一項に記載の画像形成装置。
【請求項７】
前記読み取り制御手段は、前記印刷領域選択手段によりフルブリード印刷が選択された場合に前記走査速度を前記通常印刷時の走査速度よりも下げることを特徴とする請求項６に記載の画像形成装置。
【請求項８】
画像形成装置のコンピュータに
画像形成すべき記録媒体の画像形成面の端部領域に余白を形成して画像形成する通常印刷又は画像形成すべき記録媒体の画像形成面の全域に画像形成するフルブリード印刷を選択する印刷領域選択手段と、
前記画像形成すべき記録媒体のサイズ及び画像形成元である原稿のサイズを指定する指定手段と、
前記画像形成元である原稿を前記画像形成すべき記録媒体に画像形成する際に、前記印刷領域選択手段の選択結果と前記指定手段の指定とに基づいた倍率で当該画像形成元である原稿を拡大又は縮小する変倍手段と、
を実行させることを特徴とするプログラム。
【請求項９】
前記印刷領域選択手段の選択結果と前記指定手段の指定とに基づいて前記倍率を決定する倍率決定手段を更に備え、
前記変倍手段は、前記倍率決定手段により決定された倍率で前記原稿を拡大又は縮小することを特徴とする請求項８に記載のプログラム。
【請求項１０】
前記倍率決定手段で決定される前記倍率の値を調整する調整手段を更に備えたことを特徴とする請求項８又は９に記載のプログラム。
【請求項１１】
前記印刷領域選択手段により通常印刷が選択された場合、前記変倍手段は、前記倍率をＡｍｓＶａｌｕｅｓ、前記記録媒体のサイズをＴＰ、前記原稿のサイズをＭＳとした時に、次式（１）に応じた倍率で前記原稿を拡大又は縮小することを特徴とする請求項８〜１０のいずれか一項に記載のプログラム。
ＡｍｓＶａｌｕｅｓ＝ＴＰ／ＭＳ  （１）
【請求項１２】
前記印刷領域選択手段によりフルブリード印刷が選択された場合、前記変倍手段は、前記倍率をＡｍｓＶａｌｕｅｓ、前記記録媒体のサイズをＴＰ、前記原稿のサイズをＭＳ、前記通常印刷より倍率を大きくするオフセット値をＯｆｆｓｅｔとした時に、次式（２）に応じた倍率で前記原稿を拡大又は縮小することを特徴とする請求項８〜１０のいずれか一項に記載のプログラム。
ＡｍｓＶａｌｕｅｓ＝（ＴＰ＋Ｏｆｆｓｅｔ）／ＭＳ  （２）
【請求項１３】
前記原稿を走査して読み取る読み取り手段を備え、
前記変倍手段は、前記読み取り手段の走査速度を制御する読み取り制御手段を有し、当該読み取り制御手段は前記印刷領域選択手段による選択結果に応じた走査速度に制御することを特徴とする請求項８〜１２のいずれか一項に記載のプログラム。
【請求項１４】
前記読み取り制御手段は、前記印刷領域選択手段によりフルブリード印刷が選択された場合に前記走査速度を前記通常印刷時の走査速度よりも下げることを特徴とする請求項１３に記載のプログラム。
【発明の詳細な説明】
【技術分野】
【０００１】
本発明は、画像形成すべき記録媒体に収まるように倍率を自動選択する画像形成装置及びプログラムに関する。
【背景技術】
【０００２】
従来、紙などの記録媒体に画像を形成する複写機、プリンタ又はファクシミリ等の画像形成装置には、当該記録媒体に画像を形成する際に、読み取った原稿や印刷すべき画像データが画像形成すべき記録媒体に収まるように倍率を自動選択するＡＭＳ（自動倍率選択機能）を有するものがある。
【０００３】
また、画像形成装置には、画像形成すべき記録媒体の縁ぎりぎりまで画像形成する、いわゆるフルブリード印刷を使用可能にするものがある。
例えば特許文献１には、フルブリード印刷時に記録媒体のエッジと曲がり具合を検出し、その検出結果に応じて画像形成する画像サイズを変更する技術が開示されている。
【特許文献１】特開２００４−３４１０５１号公報
【発明の開示】
【発明が解決しようとする課題】
【０００４】
しかしながら、ＡＭＳは、記録媒体から画像がはみ出さない様に、記録媒体より小さな画像になるように変倍率を設定する。このため、上述した画像形成装置においてフルブリード印刷を行なうモードを選択しても自動倍率選択機能を有効にしてしまうと、フルブリード印刷用に設定した画像形成するための変倍率が自動倍率選択機能の値となってしまうため、結果的にフルブリード印刷が無効になる虞があり、ＡＭＳとフルブリードモードの禁則が必要であった。
【０００５】
また同様に、上記の従来技術では、記録媒体のエッジと曲がり具合に応じた画像形成を行なうことは出来るが、フルブリード印刷を行なうモードに応じて自動倍率選択機能の値を変えることは出来ない。
【０００６】
このため、フルブリード印刷を行なう場合は、画像形成する画像サイズの変更倍率を手動で行なわなければ成らず、不便であった。
【０００７】
本発明は、このような課題に鑑みて為されたものであり、その目的とするところは、フルブリード印刷時の倍率設定の手間を軽減可能な画像形成装置及びプログラムを提供することである。
【課題を解決するための手段】
【０００８】
上記課題を解決するために、画像形成すべき記録媒体の画像形成面の端部領域に余白を形成して画像形成する通常印刷又は画像形成すべき記録媒体の画像形成面の全域に画像形成するフルブリード印刷を選択する印刷領域選択手段と、前記画像形成すべき記録媒体のサイズ及び画像形成元である原稿のサイズを指定する指定手段と、前記画像形成元である原稿を前記画像形成すべき記録媒体に画像形成する際に、前記印刷領域選択手段の選択結果と前記指定手段の指定とに基づいた倍率で当該画像形成元である原稿を拡大又は縮小する変倍手段と、を備えたことを特徴とする。
【０００９】
請求項２に記載の発明は、請求項１に記載の発明において、前記印刷領域選択手段の選択結果と前記指定手段の指定とに基づいて前記倍率を決定する倍率決定手段を更に備え、前記変倍手段は、前記倍率決定手段により決定された倍率で前記原稿を拡大又は縮小することを特徴とする。
【００１０】
請求項３に記載の発明は、請求項１又は２に記載の発明において、前記倍率決定手段で決定される前記倍率の値を調整する調整手段を更に備えたことを特徴とする。
【００１１】
請求項４に記載の発明は、請求項１〜３のいずれか一項に記載の発明において、前記印刷領域選択手段により通常印刷が選択された場合、前記変倍手段は、前記倍率をＡｍｓＶａｌｕｅｓ、前記記録媒体のサイズをＴＰ、前記原稿のサイズをＭＳとした時に、次式（１）に応じた倍率で前記原稿を拡大又は縮小することを特徴とする。
ＡｍｓＶａｌｕｅｓ＝ＴＰ／ＭＳ  （１）
【００１２】
請求項５に記載の発明は、請求項１〜３のいずれか一項に記載の発明において、前記印刷領域選択手段によりフルブリード印刷が選択された場合、前記変倍手段は、前記倍率をＡｍｓＶａｌｕｅｓ、前記記録媒体のサイズをＴＰ、前記原稿のサイズをＭＳ、前記通常印刷より倍率を大きくするオフセット値をＯｆｆｓｅｔとした時に、次式（２）に応じた倍率で前記原稿を拡大又は縮小することを特徴とする。
ＡｍｓＶａｌｕｅｓ＝（ＴＰ＋Ｏｆｆｓｅｔ）／ＭＳ  （２）
【００１３】
請求項６に記載の発明は、請求項１〜５のいずれか一項に記載の発明において、前記原稿を走査して読み取る読み取り手段を備え、前記変倍手段は、前記読み取り手段の走査速度を制御する読み取り制御手段を有し、当該読み取り制御手段は前記印刷領域選択手段による選択結果に応じた走査速度に制御することを特徴とする。
【００１４】
請求項７に記載の発明は、請求項６に記載の発明において、前記読み取り制御手段は、前記印刷領域選択手段によりフルブリード印刷が選択された場合に前記走査速度を前記通常印刷時の走査速度よりも下げることを特徴とする。
【００１５】
更に、請求項１〜７に記載の発明に示した主要な機能を実現させるためのプログラムを提供する（請求項８〜１４に記載の発明）。
【００１６】
更に、請求項１又は２に記載の発明に示した主要な機能を実現させるためのプログラムを提供する（請求項３、４に記載の発明）。
【発明の効果】
【００１７】
請求項１、８に記載の発明によれば、フルブリード印刷における倍率設定の手間を軽減することができ、容易な画像形成が可能である。
【００１８】
請求項２、９に記載の発明によれば、フルブリード印刷における倍率設定を原稿のサイズに応じて行ない手間を軽減することができ、容易な画像形成が可能である。
【００１９】
請求項３、１０に記載の発明によれば、画像形成すべき記録媒体及び画像形成元である原稿に対応した倍率を調整することができ、前記画像形成すべき記録媒体及び画像形成元である原稿が不定形である場合も容易に対応することが可能である。
【００２０】
請求項４、１１に記載の発明によれば、通常印刷が選択された場合、倍率をＡｍｓＶａｌｕｅｓ、記録媒体のサイズをＴＰ、原稿のサイズをＭＳとした時に次式（１）に応じた倍率で原稿の拡大又は縮小を行なうことができる。
ＡｍｓＶａｌｕｅｓ＝ＴＰ／ＭＳ  （１）
【００２１】
請求項５、１２に記載の発明によれば、フルブリード印刷が選択された場合、倍率をＡｍｓＶａｌｕｅｓ、記録媒体のサイズをＴＰ、原稿のサイズをＭＳ、通常印刷より倍率を大きくするオフセット値をＯｆｆｓｅｔとした時に次式（２）に応じた倍率で原稿の拡大又は縮小を行うことができる。
ＡｍｓＶａｌｕｅｓ＝（ＴＰ＋Ｏｆｆｓｅｔ）／ＭＳ  （２）
【００２２】
請求項６、１３に記載の発明によれば、通常印刷又はフルブリード印刷の選択に応じた走査速度で原稿の読み取りを行うことができる。
【００２３】
請求項７、１４に記載の発明によれば、フルブリード印刷が選択された場合は通常印刷時よりも走査速度を下げて原稿を読み取ることができる。
【発明を実施するための最良の形態】
【００２４】
以下、図面を参照して、本発明の実施形態を詳細に説明する。
まず、本実施形態における構成について説明する。
【００２５】
図１は、本発明である画像形成装置１００の断面図である。
画像形成装置１００は、図１に示すように、画像読取部１１、画像形成本体部１３により構成される。画像読取部１１は、画像形成本体部１３の上部に設置され、自動原稿送り装置１１ａ及び原稿画像走査露光装置１１ｂを備える。自動原稿送り装置１１ａは、原稿トレイに載置された原稿ｇを搬送機構により搬送して原稿画像走査露光装置１１ｂの方へ送り出す。また、自動原稿送り装置１１ａは、特に図示しないＣｄＳセルを備え、載置された原稿ｇの位置・サイズ検出を行なう。原稿画像走査露光装置１１ｂは、搬送された原稿ｇ（又は原稿台に載置された原稿ｇ）に光源からの光をライン状に走査して照射し、その反射光をＣＣＤ（Charge-Coupled  Device）により電気信号（アナログ信号）に変換し、Ａ／Ｄコンバータにより、このアナログ信号をデジタル信号に変換することによって、デジタル画像信号（以下、画像データと呼ぶ。）を取得する。
【００２６】
画像形成本体部１３は、画像を形成する画像形成部１３１、定着部７、紙搬送部８により構成される。
【００２７】
画像形成部１３１は、ポリゴンミラーによりレーザビームを像担持体（感光体ドラム）上に走査して静電潜像を形成する露光部１と、像担持体２と、像担持体２を帯電させる帯電部３と、像担持体２上にトナーを付着させる現像部４と、転写部５と、像担持体２の周面上に残ったトナーをクリーニングするクリーニング部６により構成される。
【００２８】
定着部７は、紙などの転写材である記録媒体Ｐに対し、熱定着処理を実行することにより、トナー画像を記録媒体Ｐに定着させる。
【００２９】
紙搬送部８は、手差しなどにより記録媒体Ｐを供給する紙差し込み部９ａ、各種サイズの記録媒体Ｐを収容するカセット９ｂ、９ｃ、搬送ローラ等により構成され、指定されたサイズの記録媒体Ｐを画像形成部１３１に搬送する。
【００３０】
なお、画像形成装置１００は、特に図示しないが、定着部７の後段にステイプル、パンチ穴あけ、折り込み処理等の後処理を行なうフィニッシャーを備える。
【００３１】
図２は、画像形成装置１００の機能的構成を模式的に示す図である。
画像形成装置１００は、図２に示すように、ＣＰＵ２１、ＲＯＭ２２、不揮発メモリ２４、表示部２５、キー入力部２６、画像読取部１１、ＲＡＭ２３、画像処理部２７、紙搬送部８及び画像形成本体部１３とを備え、これら各部はバス２８を介して互いに電気的に接続している。なお、紙搬送部８、画像読取部１１及び画像形成本体部１３については、図１において説明済みであるため、ここでの説明は省略する。
【００３２】
ＣＰＵ２１（Central  Processing  Unit）は、ＲＡＭ２３（Random  Access  Memory）を作業領域としてＲＯＭ２２（Read  Only  Memory）に格納された制御プログラムを順次実行することで各部の動作を制御する。
【００３３】
具体的には、ＣＰＵ２１は、後述する倍率設定処理で設定された倍率値で画像読取部１１で読出した原稿ｇの画像を変倍して記録媒体Ｐの画像形成面への画像形成を画像形成本体部１３で行なう。なお、ＣＰＵ２１は、画像読取部１１で原稿ｇを読み出す時に、キー入力部２６から入力された印刷領域などの画像形成条件に基づいて原稿画像走査露光装置１１ｂにおける走査速度を調整する。具体的には、ＣＰＵ２１は印刷領域としてフルブリード印刷が選択された場合に通常印刷の場合よりも走査速度を下げる。さらにＣＰＵ２１は、印刷領域としてフルブリード印刷が選択された場合に、通常印刷の場合よりも画像読取部１１における原稿ｇの読出し速度を解像度や倍率に応じて調整する構成であってよい。このため、ＣＰＵ２１は、印刷領域などにより倍率を大きくする場合は解像度を高く（読出し時間を長く）し、倍率を小さくする場合は解像度を低く（読出し時間を短く）することができる。
【００３４】
不揮発メモリ２４は、ＥＥＰＲＯＭ（Electrically  Erasable  and  Programmable  Read-Only  Memory）又はフラッシュメモリ（Flash  Read-Only  Memory）などの不揮発性の半導体メモリやＨＤ（Hard  Disc）であり、ＣＰＵ２１が実行するアプリケーションプログラム及びこれらのプログラムで使用されるデータ等を格納する。具体的には、不揮発メモリ２４は、本発明である原稿ｇを記録媒体Ｐに画像形成する時における倍率設定処理を行なうプログラムを格納する。
【００３５】
表示部２５は、ＬＣＤ（Liquid  Crystal  Display）等の表示画面を備え、ＣＰＵ２１から入力される表示制御信号に従った画像の表示を行なう。キー入力部２６は、コピースタートキー、選択キー、決定キー、数値入力用のテンキー等の各種キーを備え、これらキーの操作信号をＣＰＵ２１に出力する。また、キー入力部２６は、表示部２５の表示画面を覆うように設けられたタッチパネルを有し、電磁気誘導磁気歪式、感圧式等の座標読み取り原理でタッチ指示された座標を検出し、検出した座標を操作信号としてＣＰＵ２１に出力する。
【００３６】
画像処理部２７は、ＣＰＵ２１から入力される制御信号に従って、画像読取部１１から入力された画像データに対して回転、拡大／縮小、又は２値化の閾値を変更することによる転写濃度調整等の画像処理を施す。
【００３７】
次に、ＣＰＵ２１が行なう、原稿ｇを記録媒体Ｐに画像形成する時における倍率設定処理について図３〜図７を参照して説明する。図３は、ＣＰＵ２１が行なう倍率設定処理を示すフローチャートであり、図４は、自動倍率設定処理を示すフローチャートであり、図５は、画像形成装置１００の管理者モードでフルブリードオフセット値を設定する処理を示すフローチャートであり、図６は、画像形成条件を設定する画面を例示する図であり、図７（ａ）は、応用機能を設定する画面を例示する図であり、図７（ｂ）は、自動オフセット調整を行なう画面を例示する図である。
【００３８】
図３に示すように、先ず、ＣＰＵ２１は、画像形成条件を設定する設定画面を表示部２５に表示してキー入力部２６からの操作入力により、記録媒体Ｐにおける印刷領域の選択を含む各種画像形成条件の入力を受け付ける（ステップＳ１１）。
【００３９】
画像形成条件を設定する画面は、図６に示すように、ステータス領域Ｗ１１、ジョブ領域Ｗ１２、設定領域Ｗ１３、倍率設定領域Ｗ１４、出力サイズ設定領域Ｗ１５及び応用設定領域Ｗ１６より構成され、当該画面に表示された表示物をタッチすることでタッチパネルであるキー入力部２６から選択可能な構成である。
【００４０】
ステータス領域Ｗ１１は、当該装置の各種ステータスを表示する領域である。ジョブ領域Ｗ１２は、１つの画像形成指示による生成されるジョブを表示し、このジョブ毎の画像形成条件の設定／管理画面の表示を選択する領域である。設定領域Ｗ１３は、ステイプルやソートなど後処理による出力形態、両面の選別又はコピーの濃度などを設定する領域である。
【００４１】
倍率設定領域Ｗ１４は、読み取った原稿や印刷すべき画像データの画像形成時における倍率値を設定する領域であり、画像形成すべき記録媒体に収まるように自動で倍率調整を行なう「自動」、任意の倍率値を入力して設定する「ズーム」、予め設定された倍率値を選択する「固定倍率」及びそのままの倍率に設定する「等倍」が選択可能な構成である。出力サイズ設定領域Ｗ１５は、画像形成する記録媒体Ｐのサイズを選択して設定する領域である。
【００４２】
応用設定領域Ｗ１６は、記録媒体Ｐへの画像の収め方などをより詳細に設定する領域であり、読み取った原稿ｇの回転の設定や記録媒体Ｐに対する画像形成位置や画像形成領域の調整を可能にする。例えば、「応用機能」が選択された場合は、図７（ａ）に示すように、画像形成位置を中央に調整するセンタリング、記録媒体Ｐの全面に対して画像形成を行なうフルブリード印刷、回転により原稿ｇの画像が記録媒体Ｐに収まるように調整する否かの選択又は倍率設定領域Ｗ１４で「自動」が選択された場合における端部領域の余白を設定する自動倍率オフセット調整を行なうためのボタンＢ１１〜Ｂ１４が表示される。
【００４３】
ボタンＢ１１〜Ｂ１４は、タッチされた場合にオン／オフの切替えや更に詳細な設定画面の表示を指示するボタンである。例えば、ボタンＢ１２は、タッチされた場合にオン／オフを切替えることができ、フルブリード印刷と通常印刷との選択を可能にする。また、ボタンＢ１４の選択により自動で倍率設定を行なう場合の端部領域の余白設定や、管理者モードに移行してフルブリード時のオフセット調整を行なう場合は（後述するフルブリードオフセット値を設定する処理）、図７（ｂ）に示すように、端部から画像形成領域までの余白幅をセンチメートルやミリメートルなどの所定の単位の数値で設定する画面が表示される。
【００４４】
画像形成装置１００は、上述した画像形成条件を設定する画面を表示部２５に表示することで、通常印刷やフルブリード印刷の選択や、自動で倍率調整を行なう場合の端部領域の余白の設定又は不定形サイズのフルブリード印刷を行なう場合の調整を容易に行なうことができる。
【００４５】
次いで、ＣＰＵ２１は、フルブリード印刷が設定されているか否かを判定し（ステップＳ１２）、フルブリード印刷が設定されている場合には通常の変倍率よりも高くするフルブリードオフセット値、つまり、計算上は記録媒体Ｐのサイズを仮想的に大きく扱うことでフルブリード印刷を実現するオフセット値を参照する様に設定する（ステップＳ１３）。
【００４６】
次いで、ＣＰＵ２１は、自動倍率機能がオンで有るか否かを判定し（ステップＳ１４）、自動倍率機能がオフである場合（ステップＳ１４：Ｎ）、ステップＳ１１で選択された倍率を読み込んで（ステップＳ１５）終了する。  また、自動倍率機能がオンである場合（ステップＳ１４：Ｙ）、ＣＰＵ２１は、記録媒体Ｐの選択と原稿ｇのセットを確認するまで待機した後（ステップＳ１６、Ｓ１７）、不揮発メモリ２４に保存されているオフセット値を参照した自動倍率設定処理（ステップＳ１８、Ｓ１９）を行ない、ステップＳ１４へ戻る。
【００４７】
ここで、自動倍率設定処理（ステップＳ１８）について詳細に説明する。
図４に示すように、ＣＰＵ２１は、自動原稿送り装置１１ａで検出された原稿ｇのサイズ、出力サイズ設定領域Ｗ１５で選択された画像形成する記録媒体Ｐのサイズ、オフセット値（フルブリードオフセット値）を読み込んで（ステップＳ１９１）、当該読み込んだ値を元にした倍率演算を行ない（ステップＳ１９２）、その演算結果を確定した倍率として設定／ステータス領域Ｗ１１などへの表示を行ない（ステップＳ１９３）、終了する。
【００４８】
読み込まれる原稿ｇや記録媒体Ｐのサイズは、ステップＳ１１で設定された原稿ｇの回転方向などに応じた主走査／副走査方向のどちらか一方である。オフセット値は、ステップＳ１３において参照する様に設定された値であり、後述するフルブリードオフセット値を設定する処理で設定された値が原稿ｇや記録媒体Ｐのサイズに応じて調整された値である。
【００４９】
自動倍率機能における倍率演算は、倍率値をＡｍｓＶａｌｕｅｓ、記録媒体のサイズをＴＰ、原稿のサイズをＭＳとした場合に式（１）の演算式を元に行なう。
ＡｍｓＶａｌｕｅｓ＝ＴＰ／ＭＳ  …（１）
ステップＳ１９２における倍率演算は、倍率値をＡｍｓＶａｌｕｅｓ、記録媒体のサイズをＴＰ、原稿のサイズをＭＳ、上述のオフセット値をＯｆｆｓｅｔとした場合に式（２）の演算式を元に行なう。
ＡｍｓＶａｌｕｅｓ＝（ＴＰ＋Ｏｆｆｓｅｔ）／ＭＳ  …（２）
つまり、フルブリード印刷でない通常印刷時にはフルブリードオフセット値が参照されずにオフセット値が「０」となるため、通常印刷は式（１）で演算され、フルブリード印刷は式（２）で演算される構成である。なお、他の演算方法としては、通常印刷時の倍率値にオフセット値を掛け合わせる構成であっても何ら問題はない。また、変倍用のテーブルをＲＯＭ２２などに予め備え、値から参照する構成であっても良い。
【００５０】
ここで、前述した図７（ａ）に示したボタンＢ１４の選択により図７（ｂ）に示す画面が表示されて、管理者モードで起動するフルブリードオフセット値の設定処理について、図５を参照して説明する。なお、管理者モードとは、一般的な予め設定されたパスワードなどを入力することで起動するモードを示すが、通常時のオフセット値の設定と区別するモードであればパスワードを知らない通常の利用者でも利用できるものであってよい。
【００５１】
フルブリードオフセット値の設定処理の開始によりＣＰＵ２１は、フルブリードオフセット値を設定する画面である図７（ｂ）を表示部２５に表示し、キー入力部２６からフルブリードオフセット値の入力を受け付け（ステップＳ２１）、その入力された値に基づいたフルブリードオフセット値の設定し、不揮発メモリ２４にフルブリード印刷時に参照するオフセット値として保存して（ステップＳ２２、Ｓ２３）終了する。これにより、フルブリード印刷時におけるオフセット、つまり余白などの調整が可能となる。
【００５２】
以上のように、画像形成装置１００は、画像形成元である原稿ｇや画像形成すべき記録媒体Ｐのサイズに基づいてＣＰＵ２１で算出される倍率を元に当該原稿ｇの画像を拡大／縮小して画像形成本体部１３で画像形成する際に、キー入力部２６でフルブリード印刷／通常印刷の選択を受け付け、フルブリード印刷が選択された場合は通常印刷における演算にオフセット値を用いて倍率を算出する。
【００５３】
このため、画像形成装置１００は、印刷領域がフルブリードである場合においても記録媒体Ｐに応じた自動倍率選択機能を利用することができ、フルブリード印刷／通常印刷を選択するだけで所望の印刷領域に画像形成することができるため、煩わしい倍率設定を行なう必要が無い。
【００５４】
また、画像形成装置１００は、表示部２５に表示された自動オフセット調整を行なうための画面を参照しながらキー入力部２６からの指示により自動で倍率調整を行なう場合の端部領域の余白の設定や、不定形サイズのフルブリード印刷を行なう場合の調整を容易に行うことができる。
【００５５】
また、画像形成装置１００は、キー入力部２６で指示された印刷領域に応じた走査速度で原稿ｇの読み取りを行なうことができる構成である。つまり、通常時よりフルブリード印刷時の方の走査速度を下げて原稿ｇの読み取りを行う構成である。このため、画像形成装置１００は、フルブリード印刷時などの倍率を大きくする場合は解像度を高く（読出し時間を長く）し、倍率を小さくする場合は解像度を低く（読出し時間を短く）することができる。
【００５６】
なお、本実施の形態における記述は、本発明の一例を示すものであり、これに限定しない。本発明における画像形成装置１００の細部構成及び細部動作に関しては、本発明の趣旨を逸脱しない範囲で適宜変更が可能である。例えば、本実施の形態では、電子写真方式である画像形成装置の構成を例示したが、インクジェット方式や熱転写方式などの他の方式であって良い。
【００５７】
また、画像形成本体部１３は、モノクロ印刷を行なう構成を示したが、複数の色による画像形成を行なう画像形成部１３１を備え、カラー印刷を行なう構成であって良い。
【００５８】
また、画像形成元である原稿は、画像読取部１１で読み取られる原稿ｇについて例示したが、特に図示しない通信インターフェイスによりＰＣ（Personal  Computer）などの他の情報機器から送られるプリントデータであっても良い。同様に、キー入力部２６の操作指示で設定される画像形成条件は、当該画像形成条件を設定する設定画面をＰＣに設けられたディスプレイなどの表示部に表示し、そのＰＣに接続されたキーボードやマウスなどの操作部から入力される情報に基づいた画像形成条件が通信インターフェイスを介して画像形成装置１００に送られるものであってよい。
【図面の簡単な説明】
【００５９】
【図１】本発明である画像形成装置１００の断面を示す断面図である。
【図２】画像形成装置１００の機能的構成を模式的に示す図である。
【図３】画像形成装置１００の倍率設定処理を示すフローチャートである。
【図４】画像形成装置１００の自動倍率設定処理を示すフローチャートである。
【図５】画像形成装置１００の管理者モードでフルブリードオフセット値を設定する処理を示すフローチャート。
【図６】画像形成条件を設定する画面を例示する図である。
【図７】（ａ）は、応用機能を設定する画面を例示する図であり、（ｂ）は、自動オフセット調整を行なう画面を例示する図である。
【符号の説明】
【００６０】
１００  画像形成装置
１  露光部
２  像担持体
３  帯電部
４  現像部
５  転写部
６  クリーニング部
７  定着部
８  紙搬送部
９ａ  紙差し込み部
９ｂ、９ｃ  カセット
１１  画像読取部（読み取り手段）
１１ａ  自動原稿送り装置
１１ｂ  原稿画像走査露光装置（読み取り手段）
１３  画像形成本体部
１３１  画像形成部
２１  ＣＰＵ（変倍手段、倍率決定手段、読み取り制御手段）
２２  ＲＯＭ
２３  ＲＡＭ
２４  不揮発メモリ
２５  表示部
２６  キー入力部（印刷領域選択手段、指定手段、調整手段）
２７  画像処理部
２８  バス
Ｂ１１〜Ｂ１５  ボタン
ｇ  原稿
Ｐ  記録媒体
Ｗ１１  ステータス領域
Ｗ１２  ジョブ領域
Ｗ１３  設定領域
Ｗ１４  倍率設定領域
Ｗ１５  出力サイズ設定領域
Ｗ１６  応用設定領域
【図１】
2007033532.tif 000003
【図２】
2007033532.tif 000004
【図３】
2007033532.tif 000005
【図４】
2007033532.tif 000006
【図５】
2007033532.tif 000007
【図６】
2007033532.tif 000008
【図７】
2007033532.tif 000009